(57)【特許請求の範囲】
【請求項１】
底板と底板を介して対向する一対の側板と蓋板がそれぞれ連設され、該側板と直交する側面が、底板と一対の側板それぞれに連設する接着片を残して開放されている枠部材を備え、
開放された側面それぞれは、前記枠部材とは別部材の側面閉鎖部材により閉鎖されて平面方形の箱体を構成し、側面閉鎖部材は前記一対の側板間の内法寸法に相当する幅寸法を備え、該側面閉鎖部材の上縁には蓋片が連設され、また、垂直側縁には一対の側板方向に延びるコーナー補強耳片が連設され、
これらコーナー補強耳片は、上下端に達しない垂直方向の罫線が設けられ前記一対の側板に接着する接着片と、箱体の各コーナーと対面する補強壁片とを備えて三角柱状に形成され、
内に注出口付き内袋を収納して成ることを特徴とする容器。
【請求項２】
前記蓋板に、内袋に設けた注出口を表出させる取出口を設けたことを特徴とする請求項１記載の容器。
【請求項３】
前記箱体の幅方向の寸法と奥行き方向の寸法を略等しくしたことを特徴とする請求項１または２記載の容器。
【請求項４】
前記一対の側板と接着片はそれぞれ切断線を介して連設されていることを特徴とする請求項１記載の容器。
【請求項５】
前記コーナー補強耳片の各片間の少なくとも１か所を、所定間隔で切れ線を有する弱め線としたことを特徴とする請求項４記載の容器。
【請求項６】
前記接着片上部につまみ部を形成させたことを特徴とする請求項１、２、３、４、または５記載の容器。
【請求項７】
前記つまみ部が３〜５ｃｍの長さであることを特徴とする請求項６記載の容器。
【請求項８】
前記接着片のつまみ部内側に半切れ線または凹み部による環状の剥離部を設けたことを
特徴とする請求項１、２、３、４、５、６、または７記載の容器。
【発明の詳細な説明】
【０００１】
【発明の属する技術分野】
本発明は、清酒、調味料等の液体が充填された注出口付きの内袋を収納したバッグインボックス容器に関するものであり、特には、胴脹れ防止のため箱のコーナーに補強を施した容器に関する。
【０００２】
【従来の技術】
清酒、調味料等の液体が充填された注出口付き内袋を収納したコーナー補強容器として、例えば、特開平７−３１５４３６号公報に開示された発明がある。
この発明は、図６、７に示したように、１枚の段ボールまたは板紙を材料とし、矩形の底板３０１を中心としてその４辺に、相対応する２組の側板３０２、３０２と３０３、３０３を延設して四角筒状の外壁面を形成し、かつ前記２組の側板の各上縁に蓋片となる内フラップ３０４、３０４と外フラップ３０５、３０５を延設してなる外箱３２１内に可撓性を備えた軟質プラスチック製の内袋３２２を配置したバッグインボックスであって、相対応する２組の側板のうち何れか１組の側板の両側辺に４枚の内筒形成片３０８、３０９、３１０、３１１を延設し、これら内筒形成片間に設けた罫線を介して前記内筒形成片を四角筒状の外壁内面に重ね合わせて一体に固着し、外箱内側に実質８辺形の内筒３２０を形成させ、前記内筒の内部に内筒の径よりも大きい可撓性を備えた軟質プラスチック製の内袋３２２を配置したことを特徴とする胴ぶくれ防止機能を有したバッグインボックスとし、蓋片に、内袋３２２に設けた注出口３２３の取出口３０７を形成したものである。
【０００３】
しかしながらこの発明は、展開寸法が大きいため、湿度の影響を受け易く、シートが反ったりして製箱前のブランクシート状態での取扱いが難しい。廃棄時に容器を解体したり、折り畳むことが困難である。また、抜型寸法が大きいため型代も高く、修理等も難しいなどの問題がある。
【０００４】
本発明は、注出口付き内袋を収納した補強容器に関する以上のような問題点に着目してなされたもので、積載強度に優れ、かつ、使用後の容器の解体が容易で廃棄性を向上させた注出口付き袋を収納した容器を提供することを目的とする。
【０００５】
【課題を解決するための手段】
本発明の第１の発明は、底板と底板を介して対向する一対の側板と蓋板がそれぞれ連設され、該側板と直交する側面が、底板と一対の側板それぞれに連設する接着片を残して開放されている枠部材を備え、
開放された側面それぞれは、前記枠部材とは別部材の側面閉鎖部材により閉鎖されて平面方形の箱体を構成し、側面閉鎖部材は前記一対の側板間の内法寸法に相当する幅寸法を備え、該側面閉鎖部材の上縁には蓋片が連設され、また、垂直側縁には一対の側板方向に延びるコーナー補強耳片が連設され、
これらコーナー補強耳片は、上下端に達しない垂直方向の罫線が設けられ前記一対の側板に接着する接着片と、箱体の各コーナーと対面する補強壁片とを備えて三角柱状に形成され、
内に注出口付き内袋を収納して成ることを特徴とする容器である。
【０００６】
また、第２の発明は、第１の発明において、前記蓋板に、内袋に設けた注出口を表出させる取出口を設けたことを特徴とする容器である。
【０００７】
また、第３の発明は、第１または第２の発明において、前記箱体の幅方向の寸法と奥行き方向の寸法を略等しくしたことを特徴とする容器である。
【０００８】
また、第４の発明は、第１の発明において、前記一対の側板と接着片はそれぞれ切断線を介して連設されていることを特徴とする容器である。
【００１０】
また、第５の発明は、第４の発明において、前記コーナー補強耳片の各片間の少なくとも１か所を、所定間隔で切れ線を有する弱め線としたことを特徴とする容器である。
【００１１】
ここで弱め線とは、所定間隔で切れ線を有するリード罫線、ミシン目線、半切れ線などを指す。
【００１２】
また、第６の発明は、第１、第２、第３、第４、または第５の発明において、前記接着片上部につまみ部を形成させたことを特徴とする容器である。
【００１３】
また、第７の発明は、第６の発明において、前記つまみ部が３〜５ｃｍの長さであることを特徴とする容器である。
【００１４】
また、第８の発明は、第１、第２、第３、第４、第５、第６、または第７の発明において、前記接着片のつまみ部内側に半切れ線または凹み部による環状の剥離部を設けたことを特徴とする容器である。
【００１５】
【作用】
上記のように本発明の容器は、枠部材と一対の側面閉鎖部材から構成される所謂ブリスボックス型の箱であり、かつ、側面閉鎖部材は三角柱状に形成されるコーナー補強耳片が設けられているので、箱を積み重ねた際の圧縮強度を向上させると共に、箱の内面形状が八角形状となり、プラスチックフィルム製などの内袋を収納した際の内袋の内容物による外方に働く力を八面で均一に受けるため、容器の側面が胴膨れすることを防ぐ。
蓋板には内袋に設けた注出口を表出させる取出口を設けたので、使用時には内袋を容器から取り出さずに内容物を注出することができる。
【００１６】
また、箱体の幅方向の寸法と奥行き方向の寸法を略等しくしたので、コーナー補強耳片を設けた箱の内面形状が正八角形状となり、内袋から受ける力が均一、かつ、効果的になり、胴膨れ防止に最も効果的である。
【００１７】
また、側板と接着片は切断線を介して連設されているので、製箱適性が向上すると共に、使用後の容器の解体が容易になり廃棄性を向上させる。切断線は、ミシン目線、半切れ線、カットテープ等種々あるが、特に１種類のものに限定されるものではない。
【００１８】
また、接着片のつまみ部内側に半切れ線あるいは内側から押圧し、段ボールの中しんをつぶして形成する凹み部による環状の剥離部を設けると、接着片を簡単に摘めるきっかけを与えることになり、後は容易に接着片を切り剥がすことができる。
【００１９】
さらに、コーナー補強耳片の接着片に、上下端に達しない垂直方向の罫線を設けると、接着片を切り取った後も、三角柱状のままであるコーナー補強片を容易に押しつぶすことができる。
【００２０】
【発明の実施の形態】
以下実施例により本発明を詳細に説明する。
本発明の容器は図１、２、３に示したように、１つの枠部材１０と一対の側面閉鎖部材２０、２０からなるブリスボックス型の箱体より成る。
【００２１】
枠部材１０は、底板１１と底板を介して対向する一対の側板１２、１２と蓋板１３、１３がそれぞれ折り曲げ線を介して連設されている。
そして、側板と直交する側面は、底板１１と一対の側板１２、１２それぞれに連設する接着片１１１、１２１を残して開放されている。
【００２２】
底板１１と接着片１１１は折り曲げ線を介して連設され、接着片１１１の両端は  接着片１２の高さ分だけ切り欠かれている。
側板１２と接着片１２１は切断線ａを介して連設されている。切断線は図２に示すシングルジッパー線のほか、ミシン目線、半切れ線、カットテープ等種々あるが、特に１種類のものに限定されるものではない。
【００２３】
接着片１２１の、容器に組み立てた際、上側となる部分につまみ部１２２を設け、つまみ部の上端から５ｃｍ以内、好ましくは３〜５ｃｍの箇所の内側に、半切れ線等により環状の剥離部１２３を設ける。これは、接着片１２１をつまみ易くする工夫であって、接着片の上部に剥離部を設けてつまむ際のきっかけを与えるもので、上端から５ｃｍ以内としたのは、指で接着片をつまむために必要な長さで、かつ、容器の接着強度を落とさないための長さである（図４参照）。
【００２４】
蓋板１３には、内袋（図示せず）に設けた注出口（図示せず）を表出させるための取出口１３１を半切れ線等により設けておく。取出口は一対の蓋板のどちらの側に設けても良い。
一対の蓋板１３、１３の高さは、図２、４に示すように同一にしなくとも構わない。
【００２５】
側面閉鎖部材２０は、一対の側板１２、１２間の内法寸法に相当する幅寸法を備えており、側面閉鎖部材２０の上端には折り曲げ線を介して蓋片２０１が折り曲げ線を介して連設されている。
側面閉鎖部材２０の垂直側縁には一対の側板方向に延びるコーナー補強耳片２１、２１が折り曲げ線を介して連設されている。
【００２６】
コーナー補強耳片２１は、それぞれ折り曲げ線を介して側板方向に、接着片２１１、補強壁片２１２、補強接着片２１３に分かれて構成される。
各片間の折り曲げ線を、所定間隔で切れ線を有するリード罫線、ミシン目線、半切れ線等の弱め線にすることもできる。弱め線にすることで、後述する容器解体時にコーナー補強片をつぶす作業が容易になる。
【００２７】
コーナー補強耳片２１を折り曲げ線に沿って三角柱状に折り曲げ、容器に組み立てる際、接着片２１１は側板１２と接着する役目を担い、補強接着片２１３は谷折りしてコーナー補強耳片の裏側と接着させ、三角柱状を形成する役目を担う。
このことにより、補強壁片２１２は箱体の各コーナーと対面することになる（図１参照）。
【００２８】
接着片２１１には、上端および下端に達しない長さの罫線ｂが垂直方向に設けられている。使用後、この罫線ｂから折り曲げると三角柱状部のコーナー補強耳片２１は容易に折り畳むことができる。
【００２９】
枠部材１０および側面閉鎖部材２０とも、段ボールまたは板紙が好ましく使用できる。
【００３０】
容器への組立ては次のようにして行う。
すなわち、先ず、枠部材１０を折り曲げ線に沿って折り曲げる。次いで、一対の側面閉鎖部材２０、２０を折り曲げ線に沿って折り曲げ（補強接着片２１３のみは谷折りする）、側板１２と直交する側面が開放されている２つの面に折り曲げた側面閉鎖部材２０を内側からあてがうようにして、側面閉鎖部材２０の表側と接着片１１１、１２１、１２１の裏側を例えばホットメルト接着剤で接着して箱体に組み立てる。
最後に、側面閉鎖部材２０の裏側と補強接着片２１３の表側を例えばホットメルト接着剤で接着させコーナー補強耳片２１を三角柱状に組み立て、本発明の容器が作製できる。
これら一連の組立て作業はブリスボックス製箱機を用いて容易に行うことができる。
【００３１】
清酒等内容液の充填された注出口付き内袋（図示せず）を作製した容器に収納して、蓋板１３、１３および蓋片２０１、２０１を閉じれば、内袋入りの容器となる。
使用時には一度蓋板１３、１３を開け、取出口１３１に内袋の注出口（図示せず）を表出して固定すると、容器を閉じた状態で容器を傾けても取出口１３１が外れることなく内容液を容易に注ぎ出すことができる。
【００３２】
また容器の解体方法は、つぎの通りである（図５参照）。
すなわち、先ず、蓋板１３、１３を開け、内袋（図示せず）を取り出す。
ついで、一対の側板１２、１２の上部に手を掛け外方に引っ張ると、側板１２は側面閉鎖部材の接着片２１１から剥がれると共に、切断線ａから破れて側板１２および側面閉鎖部材２０は倒され、容器はフラットな状態となる。
【００３３】
あるいは、接着片１２１のつまみ部１２２に設けた剥離部１２３を持って外方に引き剥がすと、接着片１２１は側面閉鎖部材２０から剥離すると共に、切断線ａを介して側板１２から分離され、容器はフラットな状態になる。
【００３４】
側面閉鎖部材２０の三角柱状のコーナー補強耳片２１を罫線ｂで押しつぶし、接着片１１１と剥がすと、側面閉鎖部材２０は平面状態になる。
一対の側面閉鎖部材２０、２０が接着片１１１、１１１から剥がれて、枠部材１０もフラットな状態になる。
【００３５】
このようにして容器は当初のフラットな枠部材１０と一対の側面閉鎖部材２０、２０に成り、廃棄処理が容易に行える状態になる。
【００３６】
【発明の効果】
上記のように本発明のコーナー補強容器は、ブリスボックス型であり、コーナーには三角柱状に形成されるコーナー補強耳片が設けられているので、圧縮強度を向上させると共に、容器が座屈するのをを防ぐ。
使用後は簡単に折り畳むことができ、容易に廃棄できる。
【図面の簡単な説明】
【図１】本発明の容器の一実施例を示す、斜視説明図である。
【図２】本発明の容器に使用する枠部材の一実施例を示す展開説明図である。
【図３】本発明の容器に使用する側面閉鎖部材の一実施例を示す展開説明図である。
【図４】本発明の容器に使用する枠部材の別の実施例を示す展開説明図である。
【図５】本発明の容器の解体方法の一例を示す説明図である。
【図６】従来のコーナー補強容器の一実施例を示す説明図で、解体状態を示す。
【図７】従来のコーナー補強容器の一実施例を示す説明図で、水平断面を示す。
【符号の説明】
１０‥‥枠部材
１１‥‥底板
１２‥‥側板
１３‥‥蓋板
２０‥‥側面閉鎖部材
２１‥‥コーナー補強耳片
１１１、１２１、２１１‥‥接着片
１２２‥‥つまみ部
１２３‥‥剥離部
１３１‥‥取出口
２０１‥‥蓋片
２１２‥‥補強壁片
２１３‥‥補強接着片
３０１‥‥底板
３０２、３０３‥‥側板
３０４‥‥内フラップ
３０５‥‥外フラップ
３０７‥‥取出口
３０８、３０９、３１０、３１１‥‥内筒形成片
３２０‥‥内筒
３２１‥‥外箱
３２２‥‥内袋
３２３‥‥注出口
ａ‥‥切断線
ｂ‥‥罫線
【図１】
0004206537.tif 000002
【図２】
0004206537.tif 000003
【図３】
0004206537.tif 000004
【図４】
0004206537.tif 000005
【図５】
0004206537.tif 000006
【図６】
0004206537.tif 000007
【図７】
0004206537.tif 000008